(57)【要約】      （修正有）【課題】構造の体積を減少可能であり、収納及び移動が便利となるマッサージ機を提供する。【解決手段】本体１６に装置部が設けられている。装置部に、駆動装置、転向伝動装置、回動装置及び偏心揺動按摩装置を取り付ける。回動装置は、本体１６の装置部に取り付けられており、転向伝動装置の動力を受けて回転するためのものであり、偏心揺動按摩装置を駆動して揺動する。回動装置は主軸９を備える。主軸９にヘリカルギア８が嵌め設けられている。主軸９の両側には、互いに対称する按摩ロール６が設けられている。ヘリカルギア８はウォーム１０と噛合う。ウォーム１０が回転するときに、ヘリカルギア８が駆動されて主軸９を回転する。按摩ロール６は主軸９の両側に嵌合されている。按摩ロール６には、人体の手及び足を按摩可能な若干の按摩粒が設けられている。【選択図】図２
0003212346.tif 000002
【実用新案登録請求の範囲】
【請求項１】
本体と、駆動装置と、転向伝動装置と、回動装置と、二つの偏心揺動按摩装置とから構成され、挟み及び揉みにより、手及び足のストレスを解消可能なマッサージ機において、
前記本体に装置部が設けられており、前記装置部に、前記駆動装置、前記転向伝動装置、前記回動装置及び前記偏心揺動按摩装置を取付け可能であり、
前記駆動装置は、横方向に沿って前記本体の前記装置部に設けられており、前記駆動装置は、モータと、出力軸と、を備え、前記モータからの動力により、前記出力軸が回転され、
前記転向伝動装置は、前記本体の前記装置部に設けられており、前記駆動装置に垂直するように設けられており、前記駆動装置の前記出力軸と連接し、前記転向伝動装置は、連動ギアと伝動軸心とウォームとから構成され、前記連動ギアは前記出力軸と連接し、前記連動ギアは前記伝動軸心に嵌め設けられており、前記ウォームは前記伝動軸心の他側に設けられており、前記連動ギアが前記出力軸の動力を受けると、前記伝動軸心と前記ウォームとが駆動されて本来の位置で回転し、
前記回動装置は、前記本体の前記装置部に取り付けられており、前記転向伝動装置の動力を受けて回転するためのものであり、前記偏心揺動按摩装置を駆動して揺動し、前記回動装置は主軸を備え、前記主軸にヘリカルギアが嵌め設けられており、前記主軸の両側には、互いに対称する按摩ロールが設けられており、前記ヘリカルギアは前記ウォームと噛合い、前記ウォームが回転するときに、前記ヘリカルギアが駆動されて前記主軸を回転し、前記按摩ロールは前記主軸の両側に嵌合されており、前記按摩ロールには、人体の手及び足を按摩可能な若干の按摩粒が設けられており、
二つの前記偏心揺動按摩装置は、前記回動装置の両側に組み付けられており、前記回動装置に駆動されて挟み動作を生じ、前記偏心揺動按摩装置は、左右に対称する二組の扇形揺動部材と、偏心ユニットとから構成され、前記偏心ユニットは、傾斜面を有する一対の偏心ブロックを有し、前記偏心ブロックは、両側が互いに対称するように設けられ、前記偏心ブロックは、前記扇形揺動部材の両側にそれぞれ設けられており、前記扇形揺動部材を挟んで前記主軸に取り付けられていることにより、前記主軸が回転するときに、前記偏心ユニットは、傾斜面を介して、前記扇形揺動部材を内外へ往復に揺動し、人体のアーム及び足を挟んで揉む按摩効果を達成することを特徴とするマッサージ機。
【請求項２】
前記偏心ユニットの前記偏心ブロックに傾斜面が設けられており、前記偏心ユニットの前記偏心ブロック同士は、傾斜面を同じ側にし互いに１８０度にずれるように設けられており、二つの前記偏心揺動按摩装置は前記主軸に組み付けられていることを特徴とする、請求項１に記載のマッサージ機。
【請求項３】
前記偏心ユニットは、能動偏心ユニットと、受動偏心ユニットと、を備え、前記能動偏心ユニットと前記受動偏心ユニットとにより、前記扇形揺動部材が前記主軸に取り付けられていることを特徴とする、請求項２に記載のマッサージ機。
【請求項４】
前記主軸に連動部材が設けられており、前記連動部材は、前記受動偏心ユニットに嵌め設けられており、前記受動偏心ユニットの一側にある前記主軸に連動部材が設けられており、前記受動偏心ユニットに連動溝が設けられており、前記主軸が回転するときに、前記連動部材は、連動溝内で回転し、前記能動偏心ユニットが１８０度に回転して止められた後、前記受動偏心ユニットが一側へ回転され、これにより、二つの前記偏心揺動按摩装置に速度差が生じ、ひいては一つが挟まれ、一つが緩まれるという同期しない動作を行うことを特徴とする、請求項３に記載のマッサージ機。
【請求項５】
前記本体は、前記本体を閉じるための上蓋を有し、前記上蓋により、ホコリやゴミの侵入を防止可能であることを特徴とする、請求項１に記載のマッサージ機。
【請求項６】
更に、布カバーを含み、前記布カバーは前記本体の上方に組み付けられており、前記駆動装置、前記転向伝動装置、前記回動装置及び二つの前記偏心揺動按摩装置を隠すためのものであり、前記布カバーにより、人体が上記の部材と直接に接触しないことを特徴とする、請求項１に記載のマッサージ機。
【請求項７】
前記扇形揺動部材に若干の加熱片が設けられており、前記加熱片により、人体が加熱されて血液の循環を促進可能であることを特徴とする、請求項１に記載のマッサージ機。
【請求項８】
前記按摩ロールの両側に軸受が設けられていることを特徴とする、請求項１に記載のマッサージ機。
【考案の詳細な説明】
【技術分野】
【０００１】
本考案は、マッサージ機に関し、特に、揉み及び挟みにより、手及び足のストレスを解消可能であり、体積を減少可能であり、部品の点数を減少可能なマッサージ機に関するものである。
【背景技術】
【０００２】
従来の足マッサージ機の構造は、例えば、特許文献１の中華民国実用新案第Ｍ４１２７６４号、特許文献２の中華民国実用新案第Ｍ４１７１４３号及び特許文献３の中華民国実用新案第Ｍ４３２４１１号が提案された。これらの構造及び欠点は下記の通りである。
【０００３】
まず、中華民国実用新案第Ｍ４１２７６４号の足マッサージ機は、本体と、前記本体の予定部位に設けられており、連動ロッドを有し、ロッドの軸を中心として回転可能な連動ユニットと、偏心するように連動ロッドに設けられており、連動ユニットに駆動されて第一位置と第二位置との間に往復に作動可能であり、ユーザの足を挟み、又は揉み可能な少なくとも一つの第一按摩ユニットと、連動ロッドと連接し、連動ユニットに駆動されて回転可能であり、ユーザの足を押圧するための少なくとも一つの第二按摩ユニットと、本体の予定部位に設けられており、ユーザの足裏に押付けるための少なくとも一つの第三按摩ユニットと、を含む。上記の構造の欠点は下記にある。すなわち、動力部(つまり、モータ)はベースの中央に設けられており、動力部の動力を連動ロッドに伝達するために、ベースの高さを上げることが必要であるが、構造の体積が大きくなり、かなりのスペースを占める。
【０００４】
例えば、中華民国実用新案第Ｍ４１７１４３号の弾力による挟み機能を有する足裏マッサージ機は、基板と、駆動モジュールと、二つの按摩モジュールと、二つの挟みモジュールと、二つの弾性モジュールと、を含む。挟みモジュールは、外挟み片と、内挟み片と、を含む。外挟み片は、基板の側辺に対応するように、按摩モジュールの一側に設けられている。なお、内挟み片は按摩モジュールの一側に設けられている。弾性モジュールは、外挟み片の一側に設けられており、第一弾性子を有する。これにより、外挟み片が何れかの外力を受けない状態で、待機位置に保持され可能である。しかし、両組の駆動モジュールが設けられているため、部品の点数が多く、これにより、組付け作業が複雑となり、生産コストが増加し、そして両組の駆動モジュールを有するため、マッサージ機の体積が大きくなる問題がある。
【０００５】
例えば、中華民国実用新案第Ｍ４３２４１１号の足裏按摩器は、動力部と、主伝動軸と、傾斜回転子と、内部の部材をカバーする保護ケースと、を含む。主伝動軸は、動力部に対称的に嵌めて連接されている。これにより、動力部は主伝動軸を駆動して自転させる。傾斜回転子は、外周面に按摩板が嵌め設けられており、内周面が主伝動軸に嵌合されている。主伝動軸の動力部に対称する辺には、二つの傾斜回転子が嵌め設けられている。二つの傾斜回転子の間の距離は、足裏の幅と同じように保持される。二つの傾斜回転子の外周面には、按摩板がそれぞれ設けられている。動力部が主伝動軸を駆動する場合には、主伝動軸が二つの傾斜回転子を回転し、ひいては二つの按摩板が波のように揺動する。そして動力部に対称する他辺の機械構造も同じである。その欠点は下記の通りである。動力部は、下ケースに設けられており、斜めに設けられているため、増高ブロックを増設しないと、別の部材に動力部を組み付けることができない。そうすると、構造の体積が大きくなる。
【先行技術文献】
【特許文献】
【０００６】
【特許文献１】中華民国実用新案第Ｍ４１２７６４号公報
【特許文献２】中華民国実用新案第Ｍ４１７１４３号公報
【特許文献３】中華民国実用新案第Ｍ４３２４１１号公報
【考案の概要】
【考案が解決しようとする課題】
【０００７】
本考案の主な目的は、駆動装置の置き位置を変更することにより、構造の体積を減少可能であり、収納及び移動が便利となるマッサージ機を提供することにある。
【０００８】
本考案の別の目的は、駆動装置の置き位置を変更することにより、部品の点数を減少可能であり、構造が簡単となり、生産コストを減少可能なマッサージ機を提供することにある。
【課題を解決するための手段】
【０００９】
本考案のマッサージ機によると、本体と、駆動装置と、転向伝動装置と、回動装置と、二つの偏心揺動按摩装置とから構成され、挟み及び揉みにより、手及び足のストレスを解消可能なマッサージ機において、
本体に装置部が設けられており、装置部に、駆動装置、転向伝動装置、回動装置及び偏心揺動按摩装置を取付け可能であり、
駆動装置は、横方向に沿って本体の装置部に設けられており、駆動装置は、モータと、出力軸と、を備え、モータからの動力により、出力軸が回転され、
転向伝動装置は、本体の装置部に設けられており、駆動装置に垂直するように設けられており、駆動装置の出力軸と連接し、転向伝動装置は、連動ギアと伝動軸心とウォームとから構成され、連動ギアは出力軸と連接し、連動ギアは伝動軸心に嵌め設けられており、ウォームは伝動軸心の他側に設けられており、連動ギアが出力軸の動力を受けると、伝動軸心とウォームとが駆動されて本来の位置で回転し、
回動装置は、本体の装置部に取り付けられており、転向伝動装置の動力を受けて回転するためのものであり、偏心揺動按摩装置を駆動して揺動し、回動装置は主軸を備え、主軸にヘリカルギアが嵌め設けられており、主軸の両側には、互いに対称する按摩ロールが設けられており、ヘリカルギアはウォームと噛合い、ウォームが回転するときに、ヘリカルギアが駆動されて主軸を回転し、按摩ロールは主軸の両側に嵌合されており、按摩ロールには、人体の手及び足を按摩可能な若干の按摩粒が設けられており、
二つの偏心揺動按摩装置は、回動装置の両側に組み付けられており、回動装置に駆動されて挟み動作を生じ、偏心揺動按摩装置は、左右に対称する二組の扇形揺動部材と、偏心ユニットとから構成され、偏心ユニットは、傾斜面を有する一対の偏心ブロックを有し、偏心ブロックは、両側が互いに対称するように設けられ、偏心ブロックは、扇形揺動部材の両側にそれぞれ設けられており、扇形揺動部材を挟んで主軸に取り付けられていることにより、主軸が回転するときに、偏心ユニットは、傾斜面を介して、扇形揺動部材を内外へ往復に揺動し、人体のアーム及び足を挟んで揉む按摩効果を達成することを特徴とする。
【００１０】
本考案のマッサージ機によると、偏心ユニットの偏心ブロックに傾斜面が設けられており、偏心ユニットの偏心ブロック同士は、傾斜面を同じ側にし互いに１８０度にずれるように設けられており、二つの偏心揺動按摩装置は主軸に組み付けられていることを特徴とする。
【００１１】
本考案のマッサージ機によると、偏心ユニットは、能動偏心ユニットと、受動偏心ユニットと、を備え、能動偏心ユニットと受動偏心ユニットとにより、扇形揺動部材が主軸に取り付けられていることを特徴とする。
【００１２】
本考案のマッサージ機によると、主軸に連動部材が設けられており、連動部材は、受動偏心ユニットに嵌め設けられており、受動偏心ユニットの一側にある主軸に連動部材が設けられており、受動偏心ユニットに連動溝が設けられており、主軸が回転するときに、連動部材は、連動溝内で回転し、能動偏心ユニットの一回の回転を止めた後、受動偏心ユニットの一側を駆動して回転し、これにより、二つの偏心揺動按摩装置に速度差が生じ、ひいては一つが挟まれ、一つが緩まれるという同期しない動作を行うことを特徴とする。
【００１３】
本考案のマッサージ機によると、本体は、本体を閉じるための上蓋を有し、上蓋により、ホコリやゴミの侵入を防止可能であることを特徴とする。
【００１４】
本考案のマッサージ機によると、更に、布カバーを含み、布カバーは本体の上方に組み付けられており、駆動装置、転向伝動装置、回動装置及び二つの偏心揺動按摩装置を隠すためのものであり、布カバーにより、人体が上記の部材と直接に接触しないことを特徴とする。
【００１５】
本考案のマッサージ機によると、扇形揺動部材に若干の加熱片が設けられており、加熱片により、人体が加熱されて血液の循環を促進可能であることを特徴とする。
【００１６】
本考案のマッサージ機によると、按摩ロールの両側に軸受が設けられていることを特徴とする。
【考案の効果】
【００１７】
本考案のマッサージ機によれば、次のような効果がある。
（１）まず、駆動装置が横方向に沿って本体の装置部に設けられているため、スペースを十分に利用可能であり、且つ転向伝動装置により、出力の動力が９０度に転向され、ひいては回動装置及び二つの偏心揺動按摩装置が回転及び挟み動作を行う。これにより、構造の体積を減少可能であり、移動及び収納が容易となる。
【００１８】
（２）偏心ユニットの偏心ブロックに傾斜面が設けられており、偏心ユニットの偏心ブロック同士は、傾斜面を同じ側にし互いに１８０度にずれるように設けられており、二つの偏心揺動按摩装置は主軸に組み付けられている。
【００１９】
（３）偏心ユニットは、能動偏心ユニットと、受動偏心ユニットと、を備える。能動偏心ユニットと受動偏心ユニットとにより、扇形揺動部材が主軸に取り付けられている。
【００２０】
（４）主軸に連動部材が設けられており、連動部材は、受動偏心ユニットに嵌め設けられており、受動偏心ユニットの一側にある主軸に連動部材が設けられており、受動偏心ユニットに連動溝が設けられており、主軸が回転するときに、連動部材は、連動溝内で回転し、能動偏心ユニットが１８０度に回転して止められた後、受動偏心ユニットが一側へ回転される。これにより、二つの偏心揺動按摩装置に速度差が生じ、ひいては一つが挟まれ、一つが緩まれるという同期しない動作を行う。
【００２１】
（５）本体は、本体を閉じるための上蓋を有する。上蓋により、ホコリやゴミの侵入を防止可能である。
【００２２】
（６）更に、布カバーを含む。布カバーは、本体の上方に組み付けられており、駆動装置、転向伝動装置、回動装置及び二つの偏心揺動按摩装置を隠すためのものである。布カバーにより、人体が上記の部材と直接に接触しない。
【図面の簡単な説明】
【００２３】
【図１】本考案に係るマッサージ機の構造を示す斜視図である。
【図２】本考案に係るマッサージ機の構造を示す分解斜視図である。
【図３】駆動装置の構造を示す分解図である。
【図４】転向伝動装置の構造を示す分解図である。
【図５】回動装置と偏心揺動按摩装置との構造を示す分解図である。
【図６】本考案に係るマッサージ機の使用状態を示す図(一)である。
【図７】本考案に係るマッサージ機の使用状態を示す図(二)である。
【考案を実施するための形態】
【００２４】
以下、本考案の実施の形態を図面に基づいて説明する。
【００２５】
図１から図７を参照する。本考案に係るマッサージ機は、本体１６と、駆動装置２０と、転向伝動装置３０と、回動装置４０と、二つの偏心揺動按摩装置５０とから構成される。
【００２６】
図１及び図２を参照する。本体１６に装置部が設けられている。前記装置部に、駆動装置２０、転向伝動装置３０、回動装置４０及び偏心揺動按摩装置５０を取り付け可能である。
【００２７】
図２及び図３を参照する。駆動装置２０は、横方向に沿って本体１６の前記装置部に設けられている。駆動装置２０は、モータ１３と、出力軸と、を備える。モータ１３からの動力により、前記出力軸が回転される。
【００２８】
図２及び図４を参照する。転向伝動装置３０は、本体１６の前記装置部に設けられており、駆動装置２０に垂直するように設けられており、駆動装置２０の前記出力軸と連接する。転向伝動装置３０は、連動ギア１２と伝動軸心１１とウォーム１０とから構成される。連動ギア１２は前記出力軸と連接する。連動ギア１２は伝動軸心１１に嵌め設けられている。ウォーム１０は伝動軸心１１の他側に設けられている。連動ギア１２が前記出力軸の動力を受けると、伝動軸心１１とウォーム１０とが駆動されて本来の位置で回転する。
【００２９】
図１、図２及び図５を参照する。回動装置４０は、本体１６の前記装置部に取り付けられており、転向伝動装置３０の動力を受けて回転するためのものであり、偏心揺動按摩装置５０を駆動して揺動する。回動装置４０は主軸９を備える。主軸９にヘリカルギア８が嵌め設けられている。主軸９の両側には、互いに対称する按摩ロール６が設けられている。ヘリカルギア８はウォーム１０と噛合う。ウォーム１０が回転するときに、ヘリカルギア８が駆動されて主軸９を回転する。按摩ロール６は主軸９の両側に嵌合されている。按摩ロール６には、人体の手及び足を按摩可能な若干の按摩粒が設けられている。
【００３０】
図１、図２及び図５を参照する。二つの偏心揺動按摩装置５０は、回動装置４０の両側に組み付けられており、回動装置４０に駆動されて挟み動作を生じる。偏心揺動按摩装置５０は、左右に対称する二組の扇形揺動部材３と、偏心ユニットとから構成される。前記偏心ユニットは、傾斜面を有する一対の偏心ブロック２，４を有する。偏心ブロック２，４は、両側が互いに対称するように設けられる。偏心ブロック２，４は、扇形揺動部材３の両側にそれぞれ設けられており、扇形揺動部材３を挟んで主軸９に取り付けられている。これにより、主軸９が回転するときに、前記偏心ユニットは、前記傾斜面を介して、扇形揺動部材３を内外へ往復に揺動する。これにより、人体のアーム及び足を挟んで揉む按摩効果を達成可能である。
【００３１】
次に、本考案に係るマッサージ機の使用方式及び効果を下記に説明する。
【００３２】
図１から図７を参照する。駆動装置２０を起動した後、モータ１３が前記出力軸を駆動して回転する。転向伝動装置３０の連動ギア１２は前記出力軸に駆動されて、伝動軸心１１及びウォーム１０は前記出力軸に垂直する回転を行う。回動装置４０は主軸９を有する。主軸９に嵌め設けられているヘリカルギア８は、ウォーム１０に垂直するようにウォーム１０と噛合う。このため、ウォーム１０が回転するときには、ヘリカルギア８が駆動されて主軸９を回転する。主軸９の両側に按摩ロール６がそれぞれ嵌め設けられている。按摩ロール６の両側に軸受５が設けられている。主軸９が回転するときには、二つの按摩ロール６が駆動されて回転する。互いに対称する二組の偏心揺動按摩装置５０は、主軸９の両側にそれぞれ設けられている。偏心揺動按摩装置５０は、二組の互いに対称する偏心ユニットと、二つの扇形揺動部材３とから構成される。前記偏心ユニットは、能動偏心ユニットと、受動偏心ユニット７と、を備える。前記能動偏心ユニットと受動偏心ユニット７とは、傾斜面を有する一対の偏心ブロック２，４から構成される。偏心ブロック２，４は、１８０度にずれるように設けられている。主軸９に二つの偏心揺動按摩装置５０が組み付けられている。受動偏心ユニット７の一側にある主軸９に連動部材９１が設けられている。受動偏心ユニット７に連動溝７1が設けられている。このため、図６及び図７に示すように、回転するときに、連動部材９１は、連動溝７１内で回転し、前記能動偏心ユニットの１８０度の回転を止めた後、受動偏心ユニット７が一側へ回転される。これにより、両側の偏心揺動按摩装置５０に速度差が生じ、ひいては一つが挟まれ、一つが緩まれるという同期しない動作を行う。人間の手で挟んで揉むという按摩効果と同じ効果を得ることが可能である。
【００３３】
本考案に係る駆動装置２０が横方向に沿って本体１６の前記装置部に設けられているため、スペースが十分に利用され、且つ転向伝動装置３０により、出力の動力が９０度に転向され、ひいては回動装置４０及び二つの偏心揺動按摩装置５０が回転及び挟み動作を行う。これにより、構造の体積を減少可能であり、移動及び収納が容易となる。
【００３４】
図２を参照する。本体１６は、本体１６を閉じるための上蓋１を有する。上蓋１により、ホコリやゴミの侵入を防止可能である。
【００３５】
図２を参照する。更に、本体１６の上方に組み付けられている布カバー１７を含む。布カバー１７は、駆動装置２０、転向伝動装置３０、回動装置４０及び二つの偏心揺動按摩装置５０を隠すためのものである。布カバー１７により、人体が上記の部材と直接に接触しない。
【００３６】
扇形揺動部材３に若干の加熱片が設けられている。前記加熱片により、人体が加熱されて血液の循環を促進可能である。
【００３７】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３８】
１  上蓋
２  偏心ブロック
３  扇形揺動部材
４  偏心ブロック
５  軸受
６  按摩ロール
７  受動偏心ユニット
８  ヘリカルギア
９  主軸
１０  ウォーム
１１  伝動軸心
１２  連動ギア
１３  モータ
１６  本体
１７  布カバー
２０  駆動装置
３０  転向伝動装置
４０  回動装置
５０  偏心揺動按摩装置
７１  連動溝
９１  連動部材
【図１】
0003212346.tif 000003
【図２】
0003212346.tif 000004
【図３】
0003212346.tif 000005
【図４】
0003212346.tif 000006
【図５】
0003212346.tif 000007
【図６】
0003212346.tif 000008
【図７】
0003212346.tif 000009